(57)【要約】【課題】簡単に且つ低コストで枠の内部に石詰籠を設置する設置方法を提供する。【解決手段】本発明の石詰籠の設置方法は、金網からなっており有底筒状の石詰籠を組み立てる組立工程と、組み立てた前記石詰籠をケースに収納する収納工程と、前記石詰籠に石を詰める石詰工程と、石を詰めた前記石詰籠を前記ケースとともに吊り上げる吊上工程と、吊り上げた前記石詰籠を設置場所に下ろすことによって設置する設置工程とを含み、前記石詰籠は円柱形状又は角柱形状の有底筒状であり、前記設置場所には、前記石詰籠が設置された際に少なくとも２方向に前記石詰籠に面した枠が少なくとも上下方向の一部に設けられている。【選択図】図８
2018172959.tif 000002
【特許請求の範囲】
【請求項１】
金網からなっており有底筒状の石詰籠を組み立てる組立工程と、
組み立てた前記石詰籠をケースに収納する収納工程と、
前記石詰籠に石を詰める石詰工程と、
石を詰めた前記石詰籠を前記ケースとともに吊り上げる吊上工程と、
吊り上げた前記石詰籠を設置場所に下ろすことによって設置する設置工程と
を含み、
前記石詰籠は円柱形状又は角柱形状の有底筒状であり、
前記設置場所には、前記石詰籠が設置された際に少なくとも２方向に前記石詰籠に面した枠が少なくとも上下方向の一部に設けられている、石詰籠の設置方法。
【請求項２】
前記枠と前記石詰籠との間の隙間は１５ｃｍ以下に設定されている、請求項１に記載されている石詰籠の設置方法。
【請求項３】
前記設置工程において、前記ケースの少なくとも一部が前記枠内に入り、その後前記ケースが前記枠内から取り去られる、請求項１又は２に記載されている石詰籠の設置方法。
【請求項４】
前記枠はコンクリートからなり、少なくとも上下方向の一部において前記石詰籠の全周を囲む形状を有している、請求項１から３のいずれか一つに記載されている石詰籠の設置方法。
【請求項５】
前記ケースには、前記枠に当接することにより、それ以上前記枠内に前記ケースを進入させないストッパが設けられている、請求項１から４のいずれか一つに記載されている石詰籠の設置方法。
【発明の詳細な説明】
【技術分野】
【０００１】
本発明は、石詰籠の設置方法に関するものである。
【背景技術】
【０００２】
河川の護岸や根固の工法には、コンクリートブロックや石詰籠が用いられている。石詰籠は、コンクリートブロックによる擁壁などと異なり栗石の隙間があるので透水性、変形性、防侵食性に優れるとともに小魚やえびなどの小型水棲動物の住処や隠れ家になり、また藻や水草も生えやすく、工事の後の生態系の回復が早い。けれども、栗石間の隙間が小さいため、大型の魚の住処や隠れ家にはならないという問題点があった。
【０００３】
このような問題に対応するため、特許文献１には籠形の土留め枠本体と、土留め枠本体内に少なくとも一端部が開口して土留め枠本体の外部に臨む通路を形成するべく、土留め枠本体内に収容された通路形成用枠体と、通路形成用枠体の外側に位置して土留め枠本体内に充填された中詰石とを具備することを特徴とする護岸用土留め枠が開示されている。また、特許文献２にはフトン籠の内部に、該フトン籠を横或いは縦方向に貫通するように円筒或いは楕円筒状のカゴ体を組み込み、該カゴ体は、少なくともその下側面の一部を凹円弧面を有する石材品で支持されており、フトン籠内部の残余空所に石材端材等の詰石材を充填したことを特徴とする魚巣フトン籠が開示されている。
【先行技術文献】
【特許文献】
【０００４】
【特許文献１】特開平１１−３６２６３号公報
【特許文献２】特開２００５−１４６６６１号公報
【発明の概要】
【発明が解決しようとする課題】
【０００５】
しかしながら、特許文献１に開示された護岸用土留め枠、及び特許文献２に開示された魚巣フトン籠はいずれも金網からなる籠の内部にコンクリート製の通路を入れてその周囲に石を詰めるという複雑な構造であり、施工が難しくコストが大きくなるという問題があった。
【０００６】
本発明は、かかる点に鑑みてなされたものであり、その目的とするところは、簡単に且つ低コストで枠の内部に石詰籠を設置する設置方法を提供することにある。
【課題を解決するための手段】
【０００７】
本発明の石詰籠の設置方法は、金網からなっており有底筒状の石詰籠を組み立てる組立工程と、組み立てた前記石詰籠をケースに収納する収納工程と、前記石詰籠に石を詰める石詰工程と、石を詰めた前記石詰籠を前記ケースとともに吊り上げる吊上工程と、吊り上げた前記石詰籠を設置場所に下ろすことによって設置する設置工程とを含み、前記石詰籠は円柱形状又は角柱形状の有底筒状であり、前記設置場所には、前記石詰籠が設置された際に少なくとも２方向に前記石詰籠に面した枠が少なくとも上下方向の一部に設けられている構成を有している。
【０００８】
前記枠と前記石詰籠との間の隙間は１５ｃｍ以下に設定されていてもよい。
【０００９】
前記設置工程において、前記ケースの少なくとも一部が前記枠内に入り、その後前記ケースが前記枠内から取り去られてもよい。
【００１０】
前記枠はコンクリートからなり、少なくとも上下方向の一部において前記石詰籠の全周を囲む形状を有していてもよい。
【００１１】
前記ケースには、前記枠に当接することにより、それ以上前記枠内に前記ケースを進入させないストッパが設けられていてもよい。
【００１２】
石詰工程では、石を詰めた後に蓋をすることが好ましい。また、吊上工程では、石詰籠がケースに収納されたままの状態で吊り上げられることが好ましい。
【発明の効果】
【００１３】
本発明の石詰籠の設置方法は、ケースに収納された状態で石詰籠に石を詰め、その後石詰籠をケースとともに枠の中に入れるので、枠と石詰籠との隙間が小さくても石詰籠を容易に枠の内部に設置することができる。
【図面の簡単な説明】
【００１４】
【図１】組立工程を示す模式的な図面である。
【図２】収納工程を示す模式的な図面である。
【図３】石詰工程を示す模式的な図面である。
【図４】石詰籠に蓋をする工程を示す模式的な図面である。
【図５】石詰籠とケースにワイヤを連結する工程を示す模式的な図面である。
【図６】吊上工程の一部を示す模式的な図面である。
【図７】吊上工程の別の一部を示す模式的な図面である。
【図８】設置工程の一部を示す模式的な図面である。
【図９】設置工程の別の一部を示す模式的な図面である。
【図１０】設置工程の別の一部を示す模式的な図面である。
【図１１】設置工程の別の一部を示す模式的な図面である。
【発明を実施するための形態】
【００１５】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００１６】
（実施形態１）
実施形態１に係る石詰籠の設置方法を図１から図１１に従って説明を行う。
【００１７】
まず有底筒状の石詰籠を組み立てる（組立工程、図１）。本実施形態の石詰籠は円柱形状であるが、側面を構成する２つの側面パネル１１と底面パネル１２とから構成されている。側面パネル１１は断面が半円形の樋形状を有しており、底面パネル１２は円形である。側面パネル１１同士はコイル１５により、側面パネル１１と底面パネル１２とはコイル１６により連結されている。側面パネル１１および底面パネル１２は溶接金網からなっている。溶接金網は、表面に亜鉛アルミ合金めっきが施された鉄線から構成されており、複数の横線及び縦線を直角に交わるように配列させて、その交点を溶接して形成されている。
【００１８】
次に、石詰籠をケースに収納する（収納工程、図２）。組立工程において組み立てられた石詰籠本体部２０（蓋が設置されていない状態のもの）を円筒形のケース３０の中に収納する。ケース３０は金属板などにより形成されている。ケース３０を吊り上げるための吊り具掛け部３２がケース３０の上端部に、ストッパ３４がケース３０の外面の下部に取り付けられている。ケース３０と石詰籠本体部２０との間の隙間は１ｃｍ以上１５ｃｍ以下が好ましい。１ｃｍ未満であると後述の設置工程においてケース３０を石詰籠から抜き取ることができなくなるおそれがある。１５ｃｍよりも大きいと、ケース３０を使用しなくても石詰籠のみを容易に枠の内部に設置することができるためケース３０を使用する意味が失われてしまうおそれがあるとともに、枠内に設置された後で、石詰籠が傾いたり移動してしまうおそれがある。
【００１９】
次に石詰籠に石を詰める（石詰工程、図３）。石詰籠本体部２０がケース３０に収納された状態で、石４０を石詰籠本体部２０に詰めていって、詰め終わったら金網からなる蓋パネル１３を被せる（図４）。蓋パネル１３は側面パネル１１にコイル１６によって連結して、石を詰めた石詰籠２２が完成する。蓋パネル１３を連結する作業をやりやすくするために、石詰籠２２の上端部分はケース３０から少し（１０〜２０ｃｍ）突出している、即ち上端部分はケース３０に覆われていないようにしている。石４０は例えば、割り栗石や砕石、コンクリート破砕物等を用いることができる。石４０を詰めると石詰籠本体部２０を石４０が内部から押すことにより、通常は石詰籠本体部２０は外側へ膨らむ（「はらむ」という）が、はらみが発生してもケース３０に当たるとそれ以上は膨らむことができず、はらみの度合はケース３０がない場合に比べて小さく抑制できる。そして石詰籠本体部２０の金網の目を通り抜ける小さい石４０が石詰籠本体部２０に投入された場合、ケース３０があるので、石詰籠本体部２０から外部に落下することが防止される。
【００２０】
それから石詰籠２２およびケース３０に吊り上げのためのワイヤを連結する（図５）。石詰籠２２に対しては、蓋パネル１３の金網にワイヤ５２の先端に取り付けられたフック５１を掛けて連結を行う。石詰籠２２の大きさや重量にもよるが、蓋パネル１３の変形や金網の溶接が外れてしまうことを避けるために、４箇所以上にワイヤを連結することが好ましく、６箇所以上がより好ましい。また、ケース３０に対しては、ケース３０に設置されている吊り具掛け部３２にワイヤ５２の先端に取り付けられたフック５１を掛けて連結を行う。この際、吊り具掛け具３２の上端部分は石詰籠２２の上端よりも上にあり且つ両者間に隙間があると、フック５１を容易に掛けることができる。
【００２１】
続いてクレーンなどを用いて、石を詰めた石詰籠２２をケース３０とともに吊り上げる（吊上工程、図６）。このときには１つのクレーンで石詰籠２２とケース３０とをともに吊り上げた方が安全であり効率がよい。また、吊り上げて移動を行うと、ケース３０がなければ石詰籠２２の金網の目を通り抜ける小さい石４０が側面から外部に落下して作業者に当たってしまうおそれがあるが、本実施形態ではそのようなおそれはない。
【００２２】
次に吊り上げた石詰籠２２とケース３０とを移動させてコンクリートの枠の上方に吊り上げた状態にする（図７）。ここでの枠６０は中空の直方体形状であって、上面と下面は円形の穴６２，６４が空けられていて、上面と下面の四隅同士が４本の角柱で連結されている。従って４つの側面は外枠のみで中央に矩形の穴が空いた形状となっている。上面と下面の円形の穴６２，６４はケース３０の外径よりも大きい径を有しており、具体的には穴６２，６４の径の方がケース３０の外径よりも１ｃｍ以上１５ｃｍ以下大きいことが好ましい。この両者の径の差が１ｃｍ未満であると枠６０の中にケース３０を挿入することが困難になるおそれがあり、１５ｃｍを超えるとケース３０を用いなくても石詰籠２２を枠６０内に容易に設置することができるが、そうであると石詰籠２２が枠６０の中で移動してしまうおそれがある。
【００２３】
それから吊り上げた石詰籠２２とケース３０とを枠６０の内部へと下ろしていく（設置工程の前半、図８）。ケース３０の下部にはストッパ３４が取り付けられており、ケース３０を枠６０の上面の穴６２に入れていくと途中でストッパ３４が枠６０に当接して、ケース３０はそれ以上は枠６０内には入らなくなる。一方、石詰籠２２はケース３０とは独立に枠６０内に入っていく。
【００２４】
比較のため、ケース３０無しで石詰籠２２を枠６０の内部に下ろしていくことを考えてみると、ケース３０がないため石詰籠２２ははらみにより径が大きくなってしまっている。そのため、穴６２，６４に対して垂直に入っていかずに傾いて入っていくと、途中で穴６２，６４に引っかかってそれ以上入らなくなる。また、垂直に入っていっても途中で穴６２，６４に引っかかってそれ以上入らなくなる場合もある。一方、本実施形態ではケース３０が穴６２に入っていき、ケース３０のためにはらみ量も少ないので、途中で穴６２に引っかかることなくスムーズに穴６２の中に入っていく。さらに、最初に穴６２に垂直に入るように調整して下ろしていくと、ストッパ３４によってケース３０が垂直な状態で固定され、石詰籠２２が枠６０内に垂直な状態で入っていくことを補助するので、石詰籠２２を短時間で容易に枠６０内に設置することができる。
【００２５】
図９は石詰籠２２の全体が枠６０内に設置された状態を示している（設置工程の一部）。ケース３０は、ストッパ３４が枠６０に当接して大部分が枠６０の上方に存在している状態となっている。ケース３０がこのような状態を保ち、石詰籠２２のみが図８に示す状態から枠６０の内部に下ろされていって図９に示す設置状態となる。
【００２６】
次にクレーン等から石詰籠２２に連結したワイヤ５２を外して、ケース３０のみをクレーンで吊り上げて枠６０から取り去る（図１０、設置工程の一部）。石詰籠２２を吊り上げたワイヤ５２およびフック５１は石詰籠２２の蓋の上に載った状態となっている。
【００２７】
それから石詰籠２２の上に載っているワイヤおよびフック５１を取り去って、石詰籠２２が枠６０の中に設置された状態が完成する（図１１、設置工程の一部）。
【００２８】
本実施形態では枠６０内に設置した石詰籠２２が、枠６０の中で移動したり傾いたりしないように枠６０と石詰籠２２との隙間は１５ｃｍ以下に設定されている。本実施形態のように円柱形の石詰籠２２と円形の穴６２，６４を有する枠６０の場合、この隙間は石詰籠２２の外径と穴６２，６４の内径との差である。また、石を詰める前の石詰籠本体部２２の外径と穴６２，６４の内径との差が１５ｃｍ以下であることが好ましく、１ｃｍ以上５ｃｍ以下であることがさらに好ましい。
【００２９】
本実施形態では、ケース３０にまず石詰籠本体部２０を収納し、その後に石詰籠本体部２０に石を詰めて蓋をして石詰籠２２とし、ケース３０と石詰籠２２とを一緒に枠６０の内部に下ろして設置するので、ケース３０により石詰籠２２のはらみが抑えられて、枠６０の中に小さな隙間のみで石詰籠２２を設置することができる。つまりケース３０（少なくとも一部）も一緒に枠６０の中に入れることにより、石詰籠２２の設置位置をほぼ設定通りに精度高く定め、また途中で石詰籠２２が傾いてしまうことなく設置することができる。
【００３０】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００３１】
コンクリート製の枠ではなく、例えば平行に設けられた２組の矢板の間に石詰籠を設置する工法であっても構わない。また、枠の原材料はコンクリートに限定されないし、枠の形状・穴の形状も実施形態１の形状に限定されない。同様に石詰籠の形状も円柱形に限られず、四角柱や六角柱等の角柱形でもよい。
【００３２】
ケースにストッパを取り付けなくても構わない。その場合は、石詰籠とともにケースも枠の下部まで下ろして、その後ケースのみを吊り上げて石詰籠のみを枠内に設置する。なお、その場合、吊り具掛け部が枠に当たって枠を傷つけないように、ケースの高さを枠の内側高さよりも大きくすることが好ましく、そのようなケースを用いる場合は石詰工程において石詰籠本体部の下に台などを置いて石詰籠本体部の上端部がケース上端よりも上に位置するようにすると、蓋を設置する作業が容易になって好ましい。
【００３３】
ケースは、石詰籠のはらみをある程度抑える強度を有している部材であれば、どのような部材を材料としてもよい。
【００３４】
石詰籠を構成する金網は溶接金網が好ましいが、菱形金網やエキスパンドメタルでもよい。
【００３５】
金網同士を連結する部材はコイルに限定されず、例えばクリップと呼ばれる部材を使用してもよい。
【符号の説明】
【００３６】
２０    石詰籠本体部
２２    石詰籠
３０    ケース
３４    ストッパ
４０    石
６０    枠
【図１】
2018172959.tif 000003
【図２】
2018172959.tif 000004
【図３】
2018172959.tif 000005
【図４】
2018172959.tif 000006
【図５】
2018172959.tif 000007
【図６】
2018172959.tif 000008
【図７】
2018172959.tif 000009
【図８】
2018172959.tif 000010
【図９】
2018172959.tif 000011
【図１０】
2018172959.tif 000012
【図１１】
2018172959.tif 000013